(57)【要約】【課題】撮影対象物表面の凹部と凸部からなる模様ないしはパターンを、明暗を強調することによって浮かび上がらせることができる照明を実現し、鮮明に写真撮影することが可能な写真撮影用照明装置を得る。【解決手段】撮影対象物１を載置する撮影対象物載置台２と、撮影対象物載置台２に載せられる撮影対象物１を周囲から照明するように配置されている照明手段３と、撮影対象物載置台２に正対させてカメラ６を装着することができるカメラ装着部４と、撮影対象物載置台２と照明手段３とを撮影光軸方向に相対移動させることができる移動手段５と、を有し、移動手段５によって撮影対象物載置台２と照明手段３とを相対移動させ撮影対象物表面に沿って照明光を照射するように調整可能とした。【選択図】図１
2006133690.tif 000002
【特許請求の範囲】
【請求項１】
撮影対象物を載置する撮影対象物載置台と、
撮影対象物載置台に載せられる撮影対象物をその周囲から照明するように配置されている照明手段と、
撮影対象物載置台に正対させてカメラを装着することができるカメラ装着部と、
撮影対象物載置台と照明手段とを撮影光軸方向に相対移動させることができる移動手段と、を有し、
上記移動手段によって撮影対象物載置台と照明手段とを相対移動させ撮影対象物表面に沿って照明光を照射するように調整可能としたことを特徴とする写真撮影用照明装置。
【請求項２】
移動手段は、撮影対象物載置台を移動させる請求項１記載の写真撮影用照明装置。
【請求項３】
移動手段は、照明手段を移動させる請求項１記載の写真撮影用照明装置。
【請求項４】
照明手段は、光源からの照明光を拡散させて撮影対象物に照射する拡散板を有する請求項１記載の写真撮影用照明装置。
【請求項５】
照明手段は、撮影対象物をその周囲から照明するために直管型ランプを四方に配置してなる請求項１記載の写真撮影用照明装置。
【請求項６】
照明手段は、撮影対象物をその周囲から照明するサークライン型ランプを有してなる請求項１記載の写真撮影用照明装置。
【発明の詳細な説明】
【技術分野】
【０００１】
本発明は、撮影対象物表面の凹凸により明暗を強調する照明を可能にした写真撮影用照明装置に関するもので、例えば、犯罪捜査における鑑識標本の撮影などに有効なものである。
【背景技術】
【０００２】
表面に凹凸のある対象物を写真撮影する場合、撮影対象物の表面に斜め方向から照明光を照射して撮影するのが一般的である。例えば、犯罪捜査における足跡などの石膏標本を撮影する場合も、石膏標本を載置台に載せ、石膏標本を斜め上方から照明し、石膏標本に正対する位置からカメラで石膏標本を撮影するようにした撮影装置が用いられている。また、犯罪捜査における鑑識標本の撮影に限らず、凹凸のある物体表面の画像処理のために、処理物体に対する照明光の照射角度を処理物体表面の垂直方向に対し５度ないし１５度とした明暗視野照明方法も提案されている（例えば、特許文献１参照）。特許文献１記載の発明は、物体表面の欠陥も、凹部の底部の欠陥も捉えることができる照明方法を提供することを目的としている。
【０００３】
【特許文献１】特開平６−２１４２９０号公報
【０００４】
しかしながら、撮影目的によっては、前述の犯罪捜査における石膏標本の撮影のように、凹部と凸部からなる模様ないしはパターンを鮮明に観察することができるとともに鮮明に撮影できることが望まれる場合がある。この場合は、撮影対象の表面の様子や凹部の底面の様子を観察しあるいは撮影することは度外視される。かかる撮影目的の場合、特許文献１記載の発明や、従来の撮影装置ないしは照明装置では、目的を十分に果たすことができなかった。
【発明の開示】
【発明が解決しようとする課題】
【０００５】
本発明は、上に述べたような従来技術の問題点を解消するためになされたもので、撮影対象物表面の凹部と凸部からなる模様ないしはパターンを、明暗を強調することによって浮かび上がらせることができる照明を実現すること、そして、凹部と凸部からなる模様ないしはパターンを鮮明に写真撮影することが可能な写真撮影用照明装置を提供することを目的とする。
【課題を解決するための手段】
【０００６】
本発明は、撮影対象物を載置する撮影対象物載置台と、撮影対象物載置台に載せられる撮影対象物をその周囲から照明するように配置されている照明手段と、撮影対象物載置台に正対させてカメラを装着することができるカメラ装着部と、撮影対象物載置台と照明手段とを撮影光軸方向に相対移動させることができる移動手段と、を有し、上記移動手段によって撮影対象物載置台と照明手段とを相対移動させ撮影対象物表面に沿って照明光を照射するように調整可能としたことを最も主要な特徴とする。
【発明の効果】
【０００７】
撮影対象物表面の凹部と凸部からなる模様ないしはパターンを鮮明に浮かび上がらせるためには、撮影対象物の表面に沿って照明光を照射することによって明暗を強調することが有効であり、そのためには、撮影対象物表面の延長方向に照明手段を設置して、撮影対象物表面に沿って照明光を照射するとよい。上記の特徴を有する本願発明によれば、移動手段によって撮影対象物載置台と照明手段とを相対移動させ、撮影対象物表面の延長方向に照明手段を設置することができるため、撮影対象物表面の凹部と凸部からなる模様ないしはパターンを鮮明に浮かび上がらせることができ、鮮明な撮影画像を得ることができる。
【発明を実施するための最良の形態】
【０００８】
以下、図面を参照しながら本発明にかかる写真撮影用照明装置の実施例について説明する。
【０００９】
図１、図２において、符号１は撮影対象物を示しており、この撮影対象物１は撮影対象物載置台２の上に載せることができるようになっている。撮影対象物載置台２に載せられる撮影対象物１をその周囲から照明するように照明手段３が配置されている。撮影対象物載置台２の上方にはカメラ装着部４があり、カメラ装着部４には撮影対象物載置台２上の撮影対象物１に正対させてカメラ６を装着することができるようになっている。照明手段３、カメラ装着部４は適宜の支持台あるいはアームによって固定されているのに対し、撮影対象物載置台２は、移動手段５によって照明手段３に対して相対的に、カメラ６による撮影光軸方向に、したがって、図１において上下方向に移動可能となっている。
【００１０】
上記照明手段３は、撮影対象物１および撮影対象物載置台２の周囲を囲むことができるように、四角形の枠型に形成されている。この枠の四辺には光源収容空間３１が形成され、各光源収容空間３１には直管型の蛍光ランプからなる光源３２が配置されている。各光源収容空間３１は、撮影対象物１側すなわち枠の内縁側が開放していて、この開放部には光の拡散板３３が嵌められている。照明手段３はこのように構成されているため、撮影対象物載置台２の上に載せられる撮影対象物１をその周囲側方から照明光を照射し撮影対象物１を均一に照明することができる。
【００１１】
上記移動手段５は、例えば、基台内に設けたラックとピニオン、あるいはウォームとウォームホイルのような、回転力を直線運動に変換する機構などで構成することができる。また、移動手段５は、手動操作によって駆動するものであってもよいし、電動力で駆動するものであってもよい。
【００１２】
上記撮影対象物１は特に限定されるものではないが、本発明に適した撮影対象物は、前に説明した、犯罪捜査における足跡などの石膏標本のように、表面の凹部と凸部からなるもので、特に凹部と凸部からなる模様ないしはパターンを撮影するのに適している。かかる撮影対象物の場合、撮影対象物載置台２を上下に移動させて調整し、照明手段３からの照明光が撮影対象物１の表面とほぼ平行な方向から照射されるようにする。こうすることによって、撮影対象物１の表面が照明されるとともに、撮影対象物１の凹部が陰影となって凸部の表面と鮮明に区別され、明暗が強調されて凹部と凸部からなる模様ないしはパターンを明確に認識することができ、鮮明な撮影画像を得ることができる。換言すれば、撮影対象物１の凹部と凸部からなる模様ないしはパターンを最も明確に認識することができる位置まで撮影対象物載置台２を移動させ、その位置で写真撮影すれば、鮮明な撮影画像を得ることができる。
【００１３】
本発明にかかる写真撮影用照明装置は、図示の実施例のような構成に限定されるものではなく、次のような各種変形が可能である。
移動手段は、撮影対象物載置台と照明手段とを相対移動させるものであればよいから、撮影対象物載置台２に対して照明手段３を撮影光軸方向に移動させるようにしてもよい。
照明手段３は、撮影対象物載置台２に載せられる撮影対象物１をその周囲から照明することができるものであればよいので、サークライン型ランプあるいはリング状のランプを光源として有しているものであってもよい。
【産業上の利用可能性】
【００１４】
本発明は、犯罪捜査における鑑識標本の撮影に限らず、撮影対象物の表面の凹凸を、明暗の強調によって明瞭に撮影しようとする用途に広く用いることができる。
【図面の簡単な説明】
【００１５】
【図１】本発明にかかる写真撮影用照明装置の実施例を示す一部断面正面図である。
【図２】同上実施例の平面断面図である。
【符号の説明】
【００１６】
１    撮影対象物
２    撮影対象物載置台
３    照明手段
４    カメラ装着部
５    移動手段
６    カメラ
３２    光源
３３    拡散板
【図１】
2006133690.tif 000003
【図２】
2006133690.tif 000004